(57)【要約】      （修正有）【課題】容易に組み立てることができ、かつ製造コストを低減することのできるＤＩＹ組立式の収納ラックを提供する。【解決手段】被収納物品を収納する複数の棚板部と、所定の長さを有し、棚板部の所定の位置にそれぞれ設けられて棚板部を位置決めするとともに、複数の棚板部を上下に多層設ける支持部材３０と、を含んでなる収納ラックであって、支持部材３０の外周面に少なくとも１以上の突起部を長手方向に設けるとともに、突起部に複数の位置決め溝３２を形成し、別途、棒材を曲げて嵌合支持部材を形成し、嵌合支持部材に支持部材３０を嵌挿し、かつ回転させて位置決め溝３２に嵌合させて複数の棚板部を支持し、位置決めするように構成する。【選択図】図２
0003193420.tif 000002
【実用新案登録請求の範囲】
【請求項１】
被収納物品を収納する複数の棚板部と、
所定の長さを有し、該棚板部の所定の位置にそれぞれ設けられて該棚板部を位置決めするとともに、複数の該棚板部を上下に多層設ける支持部材と、を含んでなる収納ラックであって、
該支持部材の外周面に少なくとも１以上の突起部を長手方向に設けるとともに、該突起部に複数の位置決め溝を形成し、
別途、棒材を曲げて嵌合支持部材を形成し、該嵌合支持部材に該支持部材を嵌挿し、かつ回転させて該位置決め溝に嵌合させて複数の該棚板部を支持し、位置決めするように構成したことを特徴とする収納ラック。
【請求項２】
前記嵌合支持部材が独立した部材であって、棒材を曲げて矩形に形成してなり、該支持部材は横断面が矩形を呈する縦長の柱体であって、四隅に角を有し、該支持部材を該嵌合支持部材に嵌挿すると該支持部材と該嵌合支持部材にとの間に嵌挿空間が形成さるように構成し、該棚板部に複数の支柱体を設け、少なくとも１本以上の該支柱体を該嵌挿空間に嵌挿した該棚板部を位置決めすることを特徴とする請求項１に記載の収納ラック。
【請求項３】
前記嵌合支持部材が棒材によって方形に形成され、かつ該棚板部内に形成され、該支持部材は横断面が矩形を呈する縦長の柱体であって、四隅に角を有して、直接該棚板部を支持して位置決めすることを特徴とする請求項１に記載の収納ラック。
【請求項４】
前記嵌合支持部材が棒材によって方形に形成され、かつ該棚板部内に形成され、該支持部材が円柱状を呈し、外周面に横断面が三角形を呈する突起部を長手方向に形成し、該嵌合支持部材に該支持部材を嵌挿して直接該棚板部を支持して位置決めすることを特徴とする請求項１に記載の収納ラック。
【考案の詳細な説明】
【技術分野】
【０００１】
この考案は、被収納物品の収納に供する収納ラックに関し、特にＤＩＹ組立方式で、かつ組立てが容易な構造の収納ラックに関する。
【背景技術】
【０００２】
近年家庭での使用を目的とした各種製品の製造技術が向上し、生活水準が高められてきた。消費者はＤＩＹ組立式の収納ラックを購買して物品の整理に利用するようになった。係る収納ラックの構造は、二種類に大別される。即ち、棚板と支柱とをねじで締結して固定する形式と、ねじなどの締結部材を用いない形式である。前者は、製造工程において、必要箇所にねじ孔を穿設する必要があり、しかも必要に応じてナットを容易しなければならない。また、使用者は購買した後、同梱のねじ、ナットなどの締結部材を取出し、これらを利用して収納棚を組み立てる。かかる組み立て方式は手順が煩雑で、しかも組み立てた後、締結部材の一端が完成品の表面に露出するため、好ましい外観とは言えなくなる。
【０００３】
後者は、支柱を継ぎ足して組み立てる形式であって、支柱を構成する部材にプラスチック材による滑り止め部材を嵌着し、棚板の四隅に設けた金属製の筒体に押し込んで嵌設する。係る形式は組立作業が容易で、消費者に好まれている。但し、該筒体のコストは、ねじなどの締結部材ほど低くはない。さらに、それぞれの筒体には溶接による固定ポイントを４か所に形成しなければならず、仮に４層の収納ラックであれば、１６本の筒体を必要とし、かつ６４箇所の溶接による固定ポイントを必要とする。また、プラスチック材による滑り止め部材は３２個必要となる。よって、製造時の加工の工程數が増えて煩雑になり、このため製造コストは低くはならない。しかも、近年原料の価格が高騰しているため、コストダウンは望めそうもない。
【０００４】
図１に開示する従来の収納ラック１０は、金属製の棚板部１１と、棚板部１１の四隅に設ける嵌着管体１２と、支柱体１３と、及びプラスチック材によってなる滑り止め部材１４と、を含んでなる。
【０００５】
滑り止め部材１４は上端から下端に向かって外径が漸拡し、内周面に突起部１４１を一体に形成してなる。
【０００６】
組み立てる場合は、滑り止め部材１４を支柱体１３に形成した凹溝１５に取り付けて嵌着管体１２に圧入する。よって、滑り止め部材１４の外周面が嵌着管体１２に当接し、棚板部１１と支柱体１３とが連結する。
【０００７】
上述する従来の収納ラックは、棚板部１１を嵌着管体１２に設けるために、四箇所の固定ポイントに溶接をしなければならず、また組み立てる場合には滑り止め部材１４を取り付ける高さを注視し、滑り止め部材１４の内周面の突起部１４１が支柱体１３の凹溝１５の位置に至るよう正確に嵌挿して、はじめて嵌着管体１２を位置決めすることができる。係る組み立て作業は不便である。
【０００８】
上述するように、従来のＤＩＹ組立て方式の収納ラックは、力学と物理の原理を応用し、ねじなの締結部材で締結する方式のものがあり、一方ではプラスチック材による滑り止め部材を金属製の支柱に取付け、さらに棚板部の嵌着管体に圧入して連結するものがあるが、これらはいずれも組立ての作業が煩雑で、容易ではない。さらには、部品の点数が多くなり、製造工程数のも多くなり、製造コストが高くなる。このため製品の販売価格も高くなり、消費者の経済的負担を増大させる。
【考案の概要】
【考案が解決しようとする課題】
【０００９】
この考案は、容易に組み立てることができ、かつ製造コストを低減することのできるＤＩＹ組立式の収納ラックを提供することを課題とする。
【課題を解決するための手段】
【００１０】
そこで、本考案者は従来の収納ラックに見られる欠点に鑑み鋭意研究を重ねた結果、
被収納物品を収納する複数の棚板部と、所定の長さを有し、該棚板部の所定の位置にそれぞれ設けられて該棚板部を位置決めするとともに、複数の該棚板部を上下に多層設ける支持部材と、を含んでなる収納ラックであって、
該支持部材の外周面に少なくとも１以上の突起部を長手方向に設けるとともに、該突起部に複数の位置決め溝を形成し、別途、棒材を曲げて嵌合支持部材を形成し、該嵌合支持部材に該支持部材を嵌挿し、かつ回転させて該位置決め溝に嵌合させて複数の該棚板部を支持し、位置決めするように構成した収納ラックによって課題を解決できる点に着眼し、係る知見に基づいて本考案を完成させた。
【００１１】
以下この考案について説明する。請求項１に記載する収納ラックは、被収納物品を収納する複数の棚板部と、所定の長さを有し、該棚板部の所定の位置にそれぞれ設けられて該棚板部を位置決めするとともに、複数の該棚板部を上下に多層設ける支持部材と、を含んでなる収納ラックであって、
該支持部材の外周面に少なくとも１以上の突起部を長手方向に設けるとともに、該突起部に複数の位置決め溝を形成し、
別途、棒材を曲げて嵌合支持部材を形成し、該嵌合支持部材に該支持部材を嵌挿し、かつ回転させて該位置決め溝に嵌合させて複数の該棚板部を支持し、位置決めするように構成する。
【００１２】
請求項２に記載する収納ラックは、請求項１における嵌合支持部材が独立した部材であって、棒材を曲げて矩形に形成してなり、該支持部材は横断面が矩形を呈する縦長の柱体であって、四隅に角を有し、該支持部材を該嵌合支持部材に嵌挿すると該支持部材と該嵌合支持部材にとの間に嵌挿空間が形成さるように構成し、該棚板部に複数の支柱体を設け、少なくとも１本以上の該支柱体を該嵌挿空間に嵌挿した該棚板部を位置決めする。
【００１３】
請求項３に記載する収納ラックは、請求項１における嵌合支持部材が棒材によって方形に形成され、かつ該棚板部内に形成され、該支持部材は横断面が矩形を呈する縦長の柱体であって、四隅に角を有して、直接該棚板部を支持して位置決めする。
【００１４】
請求項４に記載する収納ラックは、請求項１における嵌合支持部材が棒材によって方形に形成され、かつ該棚板部内に形成され、該支持部材が円柱状を呈し、外周面に横断面が三角形を呈する突起部を長手方向に形成し、該嵌合支持部材に該支持部材を嵌挿して直接該棚板部を支持して位置決めする。
【図面の簡単な説明】
【００１５】
【図１】従来の締結部材を用いないＤＩＹ組立式収納ラックの構造を示した説明図である。
【図２】この考案における支持管体を示した斜視図である。
【図３】この考案による収納ラックの斜視図である。
【図４】この考案における嵌合支持部材を示した斜視図である。
【図５】実施例１における支持部材と嵌合支持部材との関係を示した説明図である。
【図６】実施例１における支持部材と嵌合支持部材との関係を示した他の説明図である。
【図７】実施例１における支持部材と嵌合支持部材との関係を示した平面説明図である。
【図８】実施例１における支持部材と嵌合支持部材との関係を示したその他説明図である。
【図９】実施例１における支持部材と嵌合支持部材との関係を示した別の説明図である。
【図１０】実施例１における支持部材と嵌合支持部材との関係を示した断面説明図である。
【図１１】実施例１における支持柱と支持部材と嵌合支持部材との関係を示した説明図である。
【図１２】実施例２による収納ラックの平面図である。
【図１３】実施例３における支持部材を示した斜視図である。
【図１４】実施例３における支持部材と嵌合支持部材となる枠との関係を示した平面説明図である。
【図１５】実施例３における支持部材と嵌合支持部材となる枠との関係を示した説明図である。
【図１６】実施例３における支持部材と嵌合支持部材となる枠との関係を示した他の説明図である。
【図１７】実施例３における支持部材と嵌合支持部材となる枠との関係を示した平面説明図である。
【図１８】実施例３における持部材と嵌合支持部材となる枠との関係を示した断面説明図である。
【図１９】実施例３による収納ラックの平面図である。
【図２０】実施例３による収納ラックの斜視図である。
【考案を実施するための形態】
【００１６】
この考案は、容易に組み立てることができ、かつ製造コストを低減することのできるＤＩＹ組立式の収納ラックを提供するものであって、被収納物品を収納する複数の棚板部と、所定の長さを有し、該棚板部の所定の位置にそれぞれ設けられて該棚板部を位置決めするとともに、複数の該棚板部を上下に多層設ける支持部材と、を含んでなる収納ラックにおいて、  該支持部材の外周面に少なくとも１以上の突起部を長手方向に設けるとともに、該突起部に複数の位置決め溝を形成し、別途、棒材を曲げて嵌合支持部材を形成し、該嵌合支持部材に該支持部材を嵌挿し、かつ回転させて該位置決め溝に嵌合させて複数の該棚板部を支持し、位置決めするように構成する。係る収納ラックの構造と特徴を説明するために、具体的な実施例を挙げ、図面を参照にして以下に説明する。
【実施例１】
【００１７】
図２、３、４に、この考案による収納ラックを開示する。図面の開示によれば、この考案による収納ラックは、複数の棚板部２０と、少なくとも１以上の支持部材３０と、嵌合支持部材４０とを含んでなる。
【００１８】
図面によれば、棚板部２０は物品を乗せる部分であって、複数の棒材を縦、横方向に交錯させてなるが、但し一枚の平面板であってもよく、また、金属材でもよく、プラスチック材か、木材であってもよい。
【００１９】
また、棚板部２０の外周部には、下方に複数の支持柱２１と、複数の支持部材３０を設けて、棚板部２０を支持して位置決めする。また、複数の棚板部２０を上下方向に組立ててもよい。
【００２０】
図面によれば、支持部材３０は横断面が矩形を呈する縦長の柱体であるが、但し、その他不規則な形状であってもよい。また、図面によれば支持部材３０は中空状であるが、非中空状であってもよい。また、図２に開示するように支持部材３０は所定の長さとするが、実際の必要に応じてこれを決める。さらに、実施例において、支持部材３０は、４つの角３１を有し、それぞれの角３１の高さの等しい位置に位置決め溝３２を形成する。
【００２１】
図４に開示するように、嵌合支持部材４０は、別途独立した部材であって、棒材を曲げて矩形を形成してなり、支持部材３０を嵌挿する。
【００２２】
また、図５、６、７に開示するように、嵌合支持部材４０の内径は支持部材３０の外径に比して長く、広い。嵌合支持部材４０の四辺が、支持部材３０の外周と平行になった状態において、支持部材３０を嵌挿することができ、支持部材３０の角が嵌合支持部材４０の辺に当たるように回転させると、嵌挿することができなくなる。
【００２３】
図８、１１に開示するように支持部材３０を嵌合支持部材４０に嵌挿し、支持部材３０の位置決め溝３２を形成した位置において嵌合支持部材４０を回転させて位置決め溝３２に嵌合させると、支持部材３０と嵌合支持部材４０にとの間に嵌挿空間４１が形成され、支持柱２１を嵌挿空間４１に嵌挿して棚板部２０を位置決めする。
【００２４】
この考案による収納ラックは、上述する構造を具えてなり、組み立てる場合は図７から図１１に開示するように、支持部材３０を嵌合支持部材４０に嵌挿し、支持部材３０の位置決め溝３２を形成した位置において嵌合支持部材４０を回転させて位置決め溝３２に嵌合させる。さらに、支持部材３０と嵌合支持部材４０にとの間に形成された嵌挿空間４１に棚板部２０の外周部に設けた支持柱２１を嵌挿して棚板部２０を位置決めする。この状態において、嵌合支持部材４０は支持部材の下方、もしくは上方に形成した位置決め溝３２に嵌合して、第２の棚板部２０を位置決めする。係る方式によって複数の棚板部２０を位置決めする。
【００２５】
実施例において、支持部材３０は４本であるが、３本の支持部材３０で棚板部２０を位置決めして組み立ててもよい。また、棚板部２０の外周の支持柱２１は、２本並設して嵌挿空間４１に嵌挿してもよい。係る変更もこの考案の実施の範囲に含まれる。
【実施例２】
【００２６】
第２の実施例においては、図２開示する支持部材を、図１２に開示ように棚板部５０内の四隅に設ける。棚板部５０は縦横に交錯させた棒材によってなり、複数の方形の枠５１が形成される。よって、該方形の枠５１を実施例１における嵌合支持部材４０とする。
【００２７】
実施例２における支持部材３０は、実施例１と同様に横断面が矩形を呈する縦長の柱体であり、中空状であっても、非中空状であってもよい。また、同様に位置決め溝３２を形成する。
【００２８】
実施例２における収納ラックを組み立てる場合は、支持部材３０を棚板部５０の実施例１における嵌合支持部材４０となる方形の枠５１に嵌挿し、さらに支持部材３０を所定の角度だけ回転させると、位置決め溝３２に枠５１が嵌合する。よって、枠５１と支持部材３０とによって棚板部５０が位置決めされる。
【００２９】
実施例２において、支持部材３０を３本として棚板部５０を位置決めしてもよい。
【００３０】
また、棚板部５０が平面板の場合は、実施例１における嵌合支持部材４０となる方形の枠５１を棚板部５０の中央の位置に形成して支持部材３０を嵌挿し。１本の支持部材３０で棚板部５０を位置決めして収納ラックを組み立てる。
【実施例３】
【００３１】
図１３、１４、１５、１６、１９に第３の実施例を開示する。図面の開示によれば、第２の実施例と同様に、棚板部５０に掲載される方形の枠５１を実施例１における嵌合支持部材４０とする。支持部材６０は円柱状を呈し、所定の長さを具えるが、実際の製品の仕様に応じて長さを決める。
【００３２】
図１３に開示するように、支持部材６０は所定の長さを有し、外周面には、横断面が三角形を呈する突起部６１を長手方向に形成する。また、突起部６１には複数の位置決め溝６２を形成する。
【００３３】
実施例１における嵌合支持部材４０となる方形の枠５１の内径は、支持部材６０の外径より大きくする。
【００３４】
第３の実施例による収納ラックを組み立てる場合は、支持部材６０を突起部６１が枠５１の角に対応する位置にして嵌挿し、支持部材６０を所定の角度だけ回転させ、位置決め溝６２に枠５１を嵌合する。よって、図１７、１８、１９、２０に開示するように支持部材６０によって棚板部５０が支持され、位置決めされる。
【符号の説明】
【００３５】
１０     収納ラック
１１     棚板部
１２     嵌着管体
１３     支柱体
１４     滑り止め部材
１４１   突起部
１５     凹溝
２０     棚板部
２１     支持柱
３０     支持部材
３１     角
３２     位置決め溝
４０     嵌合支持部材
４１     嵌挿空間
５０     棚板部
５１     枠
６０     支持部材
６１     突起部
６２     位置決め溝
【図１】
0003193420.tif 000003
【図２】
0003193420.tif 000004
【図３】
0003193420.tif 000005
【図４】
0003193420.tif 000006
【図５】
0003193420.tif 000007
【図６】
0003193420.tif 000008
【図７】
0003193420.tif 000009
【図８】
0003193420.tif 000010
【図９】
0003193420.tif 000011
【図１０】
0003193420.tif 000012
【図１１】
0003193420.tif 000013
【図１２】
0003193420.tif 000014
【図１３】
0003193420.tif 000015
【図１４】
0003193420.tif 000016
【図１５】
0003193420.tif 000017
【図１６】
0003193420.tif 000018
【図１７】
0003193420.tif 000019
【図１８】
0003193420.tif 000020
【図１９】
0003193420.tif 000021
【図２０】
0003193420.tif 000022